【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
リーダ部を備え、利用者が携行するＩＣカードの識別情報を読み取ることにより所定の動作を行う装置と、
受付装置と、
ＩＣカードと、
からなるカード識別情報管理システムであって、
前記ＩＣカードは、
前記装置の前記リーダ部による読み取りが可能であり、情報の書き込みが可能な第１記憶領域と、
前記識別情報を記憶する第２記憶領域と、
を備え、
前記受付装置は、
リーダライタ部と、
前記ＩＣカードの利用開始受付時において、前記リーダライタ部を制御して、前記ＩＣカードの前記第２記憶領域に記憶された前記識別情報を読み取り、その識別情報を前記第１記憶領域に書き込ませるカード処理部と、
を備えること、
を特徴とするカード識別情報管理システム。
【請求項２】
請求項１に記載のカード識別情報管理システムにおいて、
前記ＩＣカードは、前記ＩＣカードの利用開始受付前において、前記第１記憶領域に、前記識別情報を記憶していない状態か、又は前記装置の所定の動作を許可しないデータを記憶していること、
を特徴とするカード識別情報管理システム。
【請求項３】
請求項１又は請求項２に記載のカード識別情報管理システムにおいて、
前記受付装置の前記カード処理部は、利用終了受付時において、前記第１記憶領域に記憶されている前記識別情報を消去させるか、又は前記第１記憶領域に前記装置の所定の動作を許可しないデータを書き込ませるように前記リーダライタ部を制御すること、
を特徴とするカード識別情報管理システム。
【請求項４】
請求項１から請求項３までのいずれかに記載のカード識別情報管理システムにおいて、
前記受付装置の前記カード処理部は、前記リーダライタ部が前記第２記憶領域の前記識別情報を読み取ったことを契機として書き込む処理を行うこと、
を特徴とするカード識別情報管理システム。
【請求項５】
請求項１から請求項４までのいずれかに記載のカード識別情報管理システムにおいて、
前記装置と、前記受付装置とは、通信ネットワークを介して接続され、所定の時間間隔で通信し、
前記装置は、
前記装置の所定の動作を可能とする前記識別情報と、所定の動作を可能とする条件である付随条件情報とを関連付けて記憶する記憶部と、
前記記憶部に記憶された前記識別情報と、前記ＩＣカードから読み取った前記第１記憶領域に記憶されている前記識別情報とを照合する照合部と、
前記照合部による照合の結果、前記識別情報が一致する場合に、その識別情報に対応する前記付随条件情報をその装置が満たすときには、前記装置の所定の動作を可能とする動作許可部と、
を備え、
前記受付装置は、前記識別情報と、前記付随条件情報とを関連付けて送信する送信部を備え、
前記装置は、前記受付装置から送信された前記識別情報と、前記付随条件情報とを関連付けて前記記憶部に記憶させる更新部を備えること、
を特徴とするカード識別情報管理システム。
【請求項６】
請求項１から請求項５までのいずれかに記載のカード識別情報管理システムにおいて、
前記装置は、利用者の通行を管理するゲートであること、
を特徴とするカード識別情報管理システム。
【請求項７】
請求項１から請求項６までのいずれかに記載のカード識別情報管理システムにおいて、
前記受付装置の前記カード処理部は、複数の前記ＩＣカードを連続して順番に読み取らせることで、前記複数のＩＣカードの各々の前記第２記憶領域に記憶された前記識別情報を読み取り、読み取った識別情報を前記第１記憶領域に書き込ませるように前記リーダライタ部を制御すること、
を特徴とするカード識別情報管理システム。
【請求項８】
請求項７に記載のカード識別情報管理システムにおいて、
前記受付装置は、前記カード処理部により同時に処理がされた前記複数のＩＣカードを１つのグループとして管理するためのグループ識別情報に関連付けて記憶するグループ記憶部を備えること、
を特徴とするカード識別情報管理システム。
【請求項９】
請求項８に記載のカード識別情報管理システムであって、
前記受付装置は、前記カード処理部により読み取られた前記複数のＩＣカードに対応する付加情報の入力を受け付ける付加情報受付部を備え、
前記受付装置の前記グループ記憶部は、前記付加情報受付部により受け付けた前記付加情報を前記グループ識別情報に対応付けて記憶すること、
を特徴とするカード識別情報管理システム。
【請求項１０】
請求項７から請求項９までのいずれかに記載のカード識別情報管理システムであって、
前記受付装置は、ＩＣカードの貸出枚数の入力を受け付ける枚数受付部を備え、
前記受付装置の前記カード処理部は、前記枚数受付部により受け付けた枚数分のＩＣカードを読み取らせた場合に、前記リーダライタ部を読取終了の状態に制御すること、
を特徴とするカード識別情報管理システム。
【請求項１１】
請求項１から請求項１０までのいずれかに記載のカード識別情報管理システムであって、
前記受付装置の前記カード処理部は、ＩＣカードの利用終了受付時において、複数の前記ＩＣカードを連続して順番に読み取らせることで、前記複数のＩＣカードの各々の前記第１記憶領域に記憶されている前記識別情報を消去させるか、又は前記第１記憶領域に前記装置の所定の動作を許可しないデータを書き込ませるように前記リーダライタ部を制御すること、
を特徴とするカード識別情報管理システム。
【請求項１２】
請求項１から請求項１１までのいずれかに記載のカード識別情報管理システムであって、
前記受付装置は、ＩＣカードの読取開始の指示を受け付ける開始受付部を備え、
前記受付装置の前記カード処理部は、前記開始受付部による指示を受け付けたことに応じて、前記リーダライタ部を読取可能な状態に制御すること、
を特徴とするカード識別情報管理システム。
【請求項１３】
請求項１から請求項１２までのいずれかに記載のカード識別情報管理システムであって、
前記受付装置は、ＩＣカードの読取終了の指示を受け付ける終了受付部を備え、
前記受付装置の前記カード処理部は、前記終了受付部による指示を受け付けたことに応じて、前記リーダライタ部を読取不可の状態に制御すること、
を特徴とするカード識別情報管理システム。
【請求項１４】
リーダライタ部を備えたコンピュータである受付装置で実行するプログラムであって、
前記受付装置を、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませる第１書き込み手段と、
前記リーダライタ部を介して、前記第１記憶領域に記憶されている前記識別情報を消去させるか、又は前記第１記憶領域に前記装置の所定の動作を許可しないデータを書き込ませる第２書き込み手段と、
して機能させること、
を特徴とするプログラム。
【請求項１５】
請求項１４に記載のプログラムにおいて、
前記第１書き込み手段を、ＩＣカードの利用開始受付時の処理である場合に、前記第２記憶領域に記憶された前記識別情報を読み取り、前記第１記憶領域に読み取った前記識別情報を書き込ませるように機能させ、
前記第２書き込み手段を、前記ＩＣカードの利用終了受付時の処理である場合に、前記第１記憶領域に記憶されている前記識別情報を消去させるか、又は前記第１記憶領域に前記装置の所定の動作を許可しないデータを書き込ませるように機能させること、
を特徴とするプログラム。
【請求項１６】
請求項１４又は請求項１５に記載のプログラムにおいて、
前記第１書き込み手段を、前記リーダライタ部を制御して、複数の前記ＩＣカードを連続して順番に読み取らせることで、前記複数のＩＣカードの各々の前記第２記憶領域に記憶された前記識別情報を読み取り、読み取った識別情報を前記第１記憶領域に書き込ませるように機能させること、
を特徴とするプログラム。
【請求項１７】
リーダライタ部を備えたコンピュータである受付装置で実行するプログラムであって、
前記受付装置を、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませる第１書き込み手段と、
前記第１書き込み手段による処理を行う前記ＩＣカードの貸出枚数の入力を受け付ける枚数受付手段と、
前記第１書き込み手段により順番に処理がされた複数の前記ＩＣカードを、１つのグループとして管理するためのグループ識別情報に関連付けるグループ関連付け手段と、
して機能させること、
を特徴とするプログラム。
【請求項１８】
リーダライタ部を備えたコンピュータである受付装置で実行するプログラムであって、
前記受付装置を、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませる第１書き込み手段と、
前記第１書き込み手段による処理を行う前記ＩＣカードの貸出枚数の入力を受け付ける枚数受付手段と、
前記第１書き込み手段により順番に処理がされた複数の前記ＩＣカードを、１つのグループとして管理するためのグループ識別情報に関連付けるグループ関連付け手段と、
前記グループ識別情報を受け付けたことに応じて、前記グループ識別情報が関連付けられた前記複数のＩＣカードの識別情報を含む照会画面を出力する照会画面出力手段と、
前記照会画面に入力された前記複数のＩＣカードに対応する付加情報の入力を受け付ける付加情報受付手段と、
して機能させ、
前記グループ関連付け手段を、前記付加情報受付手段により受け付けた前記付加情報を前記グループ識別情報に対応付けるように機能させること、
を特徴とするプログラム。
【請求項１９】
リーダライタ部を備えたコンピュータである受付装置で実行するプログラムであって、
前記受付装置を、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませる第１書き込み手段と、
前記利用者に関する利用者情報入力を受け付ける利用者情報受付手段と、
前記利用者情報受付手段による入力に基づいて前記利用者を特定する利用者特定手段と、
前記利用者特定手段により特定した前記利用者のＩＣカードの利用状況と、前記第１書き込み手段による書き込みがされた前記ＩＣカードの利用状況とを画面出力する画面出力手段と、
して機能させること、
を特徴とするプログラム。
【請求項２０】
リーダライタ部と、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませるカード処理部と、
前記カード処理部による処理を行う前記ＩＣカードの貸出枚数の入力を受け付ける枚数受付部と、
前記カード処理部により順番に処理がされた複数の前記ＩＣカードを、１つのグループとして管理するためのグループ識別情報に関連付けるグループ関連付け部と、
を備える受付装置。
【請求項２１】
リーダライタ部と、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませるカード処理部と、
前記カード処理部による処理を行う前記ＩＣカードの貸出枚数の入力を受け付ける枚数受付部と、
前記カード処理部により順番に処理がされた複数の前記ＩＣカードを、１つのグループとして管理するためのグループ識別情報に関連付けるグループ関連付け部と、
前記グループ識別情報を受け付けたことに応じて、前記グループ識別情報が関連付けられた前記複数のＩＣカードの識別情報を含む照会画面を出力する照会画面出力部と、
前記照会画面に入力された前記複数のＩＣカードに対応する付加情報の入力を受け付ける付加情報受付部と、
を備え、
前記グループ関連付け部は、前記付加情報受付部により受け付けた前記付加情報を前記グループ識別情報に対応付けること、
を特徴とする受付装置。
【請求項２２】
リーダライタ部と、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませるカード処理部と、
前記利用者に関する利用者情報入力を受け付ける利用者情報受付部と、
前記利用者情報受付部による入力に基づいて前記利用者を特定する利用者特定部と、
前記利用者特定部により特定した前記利用者のＩＣカードの利用状況と、前記カード処理部による書き込みがされた前記ＩＣカードの利用状況とを画面出力する画面出力部と、
を備える受付装置。
【請求項２３】
リーダライタ部を備えたコンピュータによる方法であって、
コンピュータが、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませる第１書き込みステップと、
前記第１書き込みステップによる処理を行う前記ＩＣカードの貸出枚数の入力を受け付ける枚数受付ステップと、
前記第１書き込みステップにより順番に処理がされた複数の前記ＩＣカードを、１つのグループとして管理するためのグループ識別情報に関連付けるグループ関連付けステップと、
を含む方法。
【請求項２４】
リーダライタ部を備えたコンピュータによる方法であって、
コンピュータが、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませる第１書き込みステップと、
前記第１書き込みステップによる処理を行う前記ＩＣカードの貸出枚数の入力を受け付ける枚数受付ステップと、
前記第１書き込みステップにより順番に処理がされた複数の前記ＩＣカードを、１つのグループとして管理するためのグループ識別情報に関連付けるグループ関連付けステップと、
前記グループ識別情報を受け付けたことに応じて、前記グループ識別情報が関連付けられた前記複数のＩＣカードの識別情報を含む照会画面を出力する照会画面出力ステップと、
前記照会画面に入力された前記複数のＩＣカードに対応する付加情報の入力を受け付ける付加情報受付ステップと、
を含み、
前記グループ関連付けステップは、前記付加情報受付ステップにより受け付けた前記付加情報を前記グループ識別情報に対応付ける、方法。
【請求項２５】
リーダライタ部を備えたコンピュータによる方法であって、
コンピュータが、
前記リーダライタ部を介して、利用者が携行するＩＣカードの識別情報を記憶する第２記憶領域に記憶された前記識別情報を読み取り、そのＩＣカードの識別情報を読み取ることにより所定の動作を行う装置のリーダ部による読み取りが可能な第１記憶領域に読み取った前記識別情報を書き込ませる第１書き込みステップと、
前記利用者に関する利用者情報入力を受け付ける利用者情報受付ステップと、
前記利用者情報受付ステップによる入力に基づいて前記利用者を特定する利用者特定ステップと、
前記利用者特定ステップにより特定した前記利用者のＩＣカードの利用状況と、前記第１書き込み手段による書き込みがされた前記ＩＣカードの利用状況とを画面出力する画面出力ステップと、
を含む方法。
【手続補正２】
【補正対象書類名】明細書
【補正対象項目名】発明の名称
【補正方法】変更
【補正の内容】
【発明の名称】カード識別情報管理システム、プログラム、受付装置及び方法
【手続補正３】
【補正対象書類名】明細書
【補正対象項目名】０００１
【補正方法】変更
【補正の内容】
【０００１】
本発明は、カード識別情報管理システム、プログラム、受付装置及び方法に関する。